(57)【要約】本発明は、高温及び高圧の条件下で抽出した黄連熱水抽出物又はその蒸留液を含有するウェットティッシュに関するものであり、さらに詳しくは、黄連１００重量部に水２０００〜８０００重量部を混入して１２０〜１３１℃及び１．２〜２．８気圧という高温及び高圧の条件下で抽出した黄連熱水抽出物又はその蒸留液を含有するウェットティッシュに関するものである。前記黄連熱水抽出物又はその蒸留液を含有するウェットティッシュは、肌に常在する病原性微生物に対する抗菌及び抗真菌効果に優れており、しかも、炎症抑制効果に優れていることから、肌の清潔化及び各種の炎症疾患の改善に好適に用いられることができる。【選択図】図１
2015534466.tif 000002
【特許請求の範囲】
【請求項１】
黄連１００重量部に水２０００〜８０００重量部を混入して１２０〜１３１℃及び１．２〜２．８気圧という高温及び高圧の条件下で抽出した黄連熱水抽出物を含有することを特徴とするウェットティッシュ。
【請求項２】
前記黄連熱水抽出物は、黄連１００重量部を基準として、甘草と、決明葉と、十薬と、夏枯草と、黄柏及び黄苓よりなる群から選ばれるいずれか一種以上の生薬が１〜５０重量部追加されて製造されることを特徴とする請求項１に記載のウェットティッシュ。
【請求項３】
前記黄連熱水抽出物を含有するウェットティッシュは、ウェットティッシュ用生地１００重量部に前記黄連熱水抽出物２００〜４００重量部を噴射して前記ウェットティッシュ用生地に黄連熱水抽出物を吸収させた後、前記黄連熱水抽出物が吸収されているウェットティッシュ用生地を密封包装した後に滅菌して製造することを特徴とする請求項１に記載のウェットティッシュ。
【請求項４】
前記ウェットティッシュ用生地は、天然パルプ、綿、インジオ、テンセル、天然繊維生地、混紡繊維生地、不織布及び合成繊維生地よりなる群から選ばれることを特徴とする請求項３に記載のウェットティッシュ。
【請求項５】
黄連１００重量部に水２０００〜８０００重量部を混入して１２０〜１３１℃及び１．２〜２．８気圧という高温及び高圧の条件下で抽出した黄連熱水抽出物を含有することを特徴とする、綿棒と、ガーゼと、マスクと、おむつ及び生理用ナプキンのうちから選ばれる製品。
【請求項６】
（工程１）黄連１００重量部に水２０００〜８０００重量部を混入し、１２０〜１３１℃及び１．２〜２．８気圧という高温及び高圧の条件下で抽出して黄連熱水抽出物を製造するステップと、
（工程２）ウェットティッシュ用生地１００重量部に前記工程１において製造された黄連熱水抽出物２００〜４００重量部を噴射して前記ウェットティッシュ用生地に前記黄連熱水抽出物を吸収させるステップと、
（工程３）前記黄連熱水抽出物が吸収されているウェットティッシュ用生地を密封包装した後に滅菌して、黄連熱水抽出物を含有するウェットティッシュを製造するステップと、
を含むウェットティッシュの製造方法。
【請求項７】
（工程Ａ）黄連１００重量部に水２０００〜８０００重量部を混入し、１２０〜１３１℃及び１．２〜２．８気圧という高温及び高圧の条件下で抽出して黄連熱水抽出物を製造するステップと、
（工程Ｂ）純綿綿と、ガーゼ用生地と、純綿織物と、天然繊維生地と、合成繊維生地と、混紡繊維生地及び不織布よりなる群から選ばれるいずれか一種１００重量部に前記工程Ａにおいて製造された黄連熱水抽出物２００〜４００重量部を噴射して黄連熱水抽出物を吸収させるステップと、
（工程Ｃ）前記黄連熱水抽出物が吸収されている純綿綿と、ガーゼ用生地と、純綿織物と、天然繊維生地と、合成繊維生地と、混紡繊維生地及び不織布よりなる群から選ばれるいずれか一種を乾燥させて滅菌するステップと、
（工程Ｄ）前記工程Ｃにおいて乾燥した純綿綿と、ガーゼ用生地と、純綿織物と、天然繊維生地と、合成繊維生地と、混紡繊維生地及び不織布よりなる群から選ばれるいずれか一種を用いて綿棒と、ガーゼと、マスクと、おむつ及び生理用ナプキンよりなる群から選ばれる製品を製造し、包装した後に滅菌するステップと、
を含む、綿棒と、ガーゼと、マスクと、おむつ及び生理用ナプキンよりなる群から選ばれる製品の製造方法。
【請求項８】
黄連１００重量部に水２０００〜８０００重量部を混入して１２０〜１３１℃及び１．２〜２．８気圧という高温及び高圧の条件下で抽出した黄連熱水抽出物を蒸留して得た蒸気を凝縮させた黄連熱水抽出物の蒸留液を含有することを特徴とするウェットティッシュ。
【請求項９】
黄連１００重量部に水２０００〜８０００重量部を混入して１２０〜１３１℃及び１．２〜２．８気圧という高温及び高圧の条件下で抽出した黄連熱水抽出物を蒸留して得た蒸気を凝縮させた黄連熱水抽出物の蒸留液を含有することを特徴とする、綿棒と、ガーゼと、マスクと、おむつ及び生理用ナプキンよりなる群から選ばれる製品。
【請求項１０】
（工程１）黄連１００重量部に水２０００〜８０００重量部を混入し、１２０〜１３１℃及び１．２〜２．８気圧という高温及び高圧の条件下で抽出して黄連熱水抽出物を製造し、前記黄連熱水抽出物を蒸留して得た蒸気を凝縮させて黄連熱水抽出物の蒸留液を製造するステップと、
（工程２）ウェットティッシュ用生地１００重量部に前記工程１において製造された黄連熱水抽出物の蒸留液２００〜４００重量部を噴射して前記ウェットティッシュ用生地に前記黄連熱水抽出物の蒸留液を吸収させるステップと、
（工程３）前記黄連熱水抽出物の蒸留液が吸収されているウェットティッシュ用生地を密封包装した後に滅菌して、黄連熱水抽出物の蒸留液を含有するウェットティッシュを製造するステップと、
を含むウェットティッシュの製造方法。
【請求項１１】
（工程Ａ）黄連１００重量部に水２０００〜８０００重量部を混入し、１２０〜１３１℃及び１．２〜２．８気圧という高温及び高圧の条件下で抽出して黄連熱水抽出物を製造し、前記黄連熱水抽出物を蒸留して得た蒸気を凝縮させて黄連熱水抽出物の蒸留液を製造するステップと、
（工程Ｂ）純綿綿と、ガーゼ用生地と、純綿織物と、天然繊維生地と、合成繊維生地と、混紡繊維生地及び不織布よりなる群から選ばれるいずれか一種１００重量部に前記工程Ａにおいて製造された黄連熱水抽出物の蒸留液２００〜４００重量部を噴射して黄連熱水抽出物の蒸留液を吸収させるステップと、
（工程Ｃ）前記黄連熱水抽出物の蒸留液が吸収されている純綿綿と、ガーゼ用生地と、純綿織物と、天然繊維生地と、合成繊維生地と、混紡繊維生地及び不織布よりなる群から選ばれるいずれか一種を乾燥させて滅菌するステップと、
（工程Ｄ）前記工程Ｃにおいて乾燥した純綿綿と、ガーゼ用生地と、純綿織物と、天然繊維生地と、合成繊維生地と、混紡繊維生地及び不織布よりなる群から選ばれるいずれか一種を用いて綿棒と、ガーゼと、マスクと、おむつ及び生理用ナプキンよりなる群から選ばれる製品を製造し、包装して滅菌するステップと、
を含む、綿棒と、ガーゼと、マスクと、おむつ及び生理用ナプキンよりなる群から選ばれる製品の製造方法。
【発明の詳細な説明】
【技術分野】
【０００１】
本発明は、黄連１００重量部に水２０００〜８０００重量部を混入して１２０〜１３１℃及び１．２〜２．８気圧という高温及び高圧の条件下で抽出した黄連熱水抽出物又はその蒸留液を含有するウェットティッシュに関する。
【背景技術】
【０００２】
ウェットティッシュ（wet tissue）は、天然パルプ、綿、インジオ、テンセル、天然繊維生地、不織布、合成繊維生地、混紡繊維生地などのウェットティッシュ用生地に水を加えて殺菌消毒して得られるものであり、肌の清潔化の目的で用いられ、口腔用のウェットティッシュ、洗浄用の赤ちゃんのウェットティッシュ、女性用のウェットティッシュ、使い捨ておしぼり、多目的ウェットティッシュなどの様々なタイプの製品が生産されており、使い勝手がよいことから、ウェットティッシュの需要は急増する傾向にある。このような製品は、人体の肌に直接的に使用するため、肌への安全性に優れていること、肌に残存する異物及び病原性微生物の除去能に優れていること、肌の状態を改善する機能的な効果及び効能を有することが求められる。
【０００３】
一方、現在市販されているのウェットティッシュのほとんどには界面活性剤、化学防腐剤、香料及びアルコールなどが含有されており、特に、界面活性剤が主成分の役割を果たすため、異物を溶かして汚れを拭き取るような原理に基づいて製造されている。しかしながら、これらの成分は、敏感な身体部位に使用する場合、肌に刺激を与える虞がある。また、たとえ肌への刺激がないとしても、単に肌の汚れを拭き取る作用をすることだけに留まっており、肌に固着されている細菌を除去するのには限界がある。しかも、最近、赤ちゃんの口に入る口腔用のウェットティッシュから健康に有害な化学防腐剤であるメチルパラベンなどが検出されて大騒ぎになったことがあり、消費者の不信や不安感が増幅されているのが現状である。この理由から、化学的な成分が全く含有されていない環境にやさしいウェットティッシュが注目を集めているが、これらの製品の安全性が完全に検証されていない。
【０００４】
黄連（オウレン、Coptidis Rhizoma）とは、キンポウゲ科オウレン（Coptisjaponica Makino）又はその他の同属植物（キンポウゲ科、Ranunculaceae）の根を除去して得た根茎のことをいう。韓国の＜本草図鑑＞には、各種の炎症に用いられ、皮膚炎の治療に有用である旨が記録されており、＜東医治療＞には、苦味健胃薬、鎮静薬、炎症薬として使用可能であり、充血及び炎症性疾病、動悸（胸騒ぎ）と精神不安、腹痛、下痢、疫痢、出血症状に使用可能である旨が記録されている。また、＜本草新編＞には、嘔吐を抑え、虫ずが走ることを止め、口渇を除去し、火眼を治療し、心を鎮静化する効果がある旨が記録されている。さらに、口内炎、舌炎、口角炎、腫れ物、各種の炎症、特に、眼疾患や中耳炎などの治療に広く用いられることが知られている。なお、＜神農本草経＞によれば、熱気による目痛や眼瞼の障害により涙が出ることを治め、目を明るくし、疫痢や腹痛などを治療する効果がある旨が記録されている。
【０００５】
黄柏（オウバク、Phellodendron Bark）は、キハダ（Phellodendron amurense Ruprecht）又はその他の同属植物（ミカン科、Rutaceae）の周皮を除いて得た樹皮である。抗菌作用があり、湿気及び熱気を無くす薬であり、＜本草綱目＞には、女性の崩漏及び下り物を治療し、陰部の肌組織が吹き出物により侵食される症状を治療する旨が記録されており、民間療法では、湿疹、腺病、慢性皮膚糸状菌症、口内の粘膜炎、火傷、切り口にも使用する。
【０００６】
黄苓（オウゴン、Scutellaria Root）は、黄金花（Scutellaria baicalensis Georgi）の周皮を除いて得た根である。解熱剤、利尿剤、止瀉剤（下痢止め）、利胆剤及び消炎剤として用いられ、抗菌力に非常に優れている。＜東医治療＞には、炎症薬、解熱薬として汎用する旨が記録されており、充血、炎症及び熱のある疾病、腹痛、下痢、呼吸器感染や咳、濕熱性黄疸、炎症性結膜炎に用いる旨が記録されている。
【０００７】
恵比須草（エビスグサ、Cassia obtusifolia L.）は、決明子、ロッカクソウ（Cassia tora L.）とも呼ばれ、決明という名前の由来は「目を明るくする」ところからきている。北アメリカが原産地であり、薬用に栽培される。草丈は約１ｍである。葉は一回偶数羽状複葉であり、２〜４対の小葉をつける。小葉は倒卵形であり、長さは３〜４ｃｍである。黄色い花が６〜８月に葉腋から咲く。マメ科に属する一年生の草本植物であり、ビタミンＣ、エモジン（Emodin）、カロチン（Carotin）、ビタミンＡの前駆物質であるケンフェロール（Kaempherol）、アントラキノン（Anthraquinone）などを多量含有しており、口腔炎の治療効果が高く、皮膚糸状菌の成長を抑え、抗眞菌効果があることが知られている。決明の種子である決明子は、利尿、便秘及び目を明るくするのに効能があるため習慣性便秘、高血圧、急性結膜炎、角膜混濁症状などに用いられ、煎じて麦茶のようにして飲む。
【０００８】
甘草（カンゾウ、Glycyrrhizae radix）は、韓国及び日本国においては、ウラル甘草（東北甘草、Glycyrrhizauralensis Fischer）、ナンキン甘草（西北甘草、Glycyrrhiza glabra L.）又はその他の同属植物の根及び茎の一部を皮がついているままで、又は皮を除いて使用する。中国においては、ウラル甘草（Glycyrrhiza uralensis Fischer）、ナンキン甘草（Glycyrrhiza glabra L.）、マルミ甘草（Glycyrrhiza inflata Batal）の干し根を使用する。ロシア（シベリア）、イラン、アフガニスタン、パキスタン、中国（甘▲粛▼省、新彊省）、モンゴルなどで生育し、韓国において栽培したりする。ナンキン甘草は、ヨーロッパ南東部、中近東、中国に分布されており、それぞれ少しの違いがある。ナンキン甘草の変種であるロシア甘草、ペルシャ甘草、イラン甘草などは薬用ではない。甘草の表皮は赤褐色や暗褐色を呈し、縦にしわがあり、時々皮目、芽及び鱗片葉がついている。皮を除いた甘草は外側面が淡い黄色を呈し、繊維性である。この薬は、国老、美草、蜜甘、蜜草、▲レイ▼通、▲甜▼草、蕗草とも呼ばれる。甘草は、全ての薬の毒性を調和させて薬効の発現を促し、臓腑の寒熱及び邪気を治め、全ての血脈の疎通を促し、筋肉及び骨を丈夫にする役割を果たす。解毒、肝炎、蕁麻疹、皮膚炎、湿疹など多種多様の薬理作用を示す。鎮咳、去痰、筋肉弛緩、利尿作用、抗炎作用があり、消化性潰瘍を抑える。
【０００９】
夏枯草（カゴソウ、Hagocho）は、シソ科に属する多年生の草本植物であるウツボグサ（ミヤマウツボグサ、シロバナウツボグサなど）の全草であり、性質は冷たく、毒がなく、解熱作用、解毒作用、抗菌作用、腫れ物や炎症を鎮静化する効果などがあり、特に、眼疾患に対する治療効果が高いことが知られている。
【００１０】
十薬（ジュウヤク、Houttuyniae herba）は、ドクダミ科のドクダミ（Houttuynia cordata Thunberg）の開花期の地上部を乾燥させたものであり、ドクダメ、ギョセイソウ、シュウサイとも呼ばれる。中国では同じ植物を使用するが、全草又は地上部であると規定している。生のドクダミには特異な臭いがあり、中国名「魚腥草（魚のような生臭さのある草の意）」の由来となっている。十薬は、葉をこするとよく似て魚の臭みのような匂いがし、味は辛く、性質はやや冷たい。十薬は、解熱、排膿作用に優れていることから、肺膿瘍による咳、血膿、肺炎、急慢性気管支炎、腸炎、尿路感染症、腫れ物に使用し、また、熱が高くて尿が出ないときにも使用する。抗菌作用、免疫増強作用、抗炎症作用、利尿作用、鎮咳作用などの薬理作用があると報告されている。
【００１１】
一方、本発明者らは、現在市販されているウェットティッシュが有する各種の問題を解消するために、黄連１００重量部に水２０００〜８０００重量部を混入して１２０〜１３１℃及び１．２〜２．８気圧という高温及び高圧の条件下で抽出した黄連熱水抽出物を含有する、抗菌及び抗炎効果に優れたウェットティッシュを製造することにより、本発明を完成するに至った。
【００１２】
黄連抽出物が含有されているウェットティッシュに関する従来の技術として、例えば、下記の特許文献１には、電解水、オーク抽出物及び黄連抽出物を含有するウェットティッシュが開示されており、例えば、下記の特許文献２には、黄連をはじめとする各種の生薬成分が含有されている口腔用ウェットティッシュが開示されており、例えば、下記の特許文献３には、黄連をはじめとする各種の生薬成分が含有されている膣炎の予防又は治療用ウェットティッシュが開示されている。これらの従来の技術によるウェットティッシュは、黄連１００重量部に水２０００〜８０００重量部を混入して１２０〜１３１℃及び１．２〜２．８気圧という高温及び高圧の条件下で抽出した黄連熱水抽出物又はその蒸留液を含有するウェットティッシュとはその技術的構成が全く異なるものであるといえる。
【先行技術文献】
【特許文献】
【００１３】
【特許文献１】大韓民国登録特許第５５３２６５号公報
【特許文献２】大韓民国公開特許第２００５−０００２７１５号公報
【特許文献３】大韓民国公開特許第２０１２−００６３０７６号公報
【発明の概要】
【発明が解決しようとする課題】
【００１４】
本発明の目的は、黄連１００重量部に水２０００〜８０００重量部を混入して１２０〜１３１℃及び１．２〜２．８気圧という高温及び高圧の条件下で抽出した黄連熱水抽出物又はその蒸留液を含有するウェットティッシュを提供するところにある。
【課題を解決するための手段】
【００１５】
本発明は、黄連１００重量部に水２０００〜８０００重量部を混入して１２０〜１３１℃及び１．２〜２．８気圧という高温及び高圧の条件下で抽出した黄連熱水抽出物を含有するウェットティッシュに関する。
【００１６】
前記黄連熱水抽出物は、黄連１００重量部を基準として、甘草と、決明葉と、十薬と、夏枯草と、黄柏及び黄苓よりなる群から選ばれるいずれか一種以上の生薬が１〜５０重量部追加されて製造されてもよい。
【００１７】
前記黄連熱水抽出物を含有するウェットティッシュは、ウェットティッシュ用生地１００重量部に前記黄連熱水抽出物２００〜４００重量部を噴射して前記ウェットティッシュ用生地に黄連熱水抽出物を吸収させた後、前記黄連熱水抽出物が吸収されているウェットティッシュ用生地を密封包装した後に滅菌して製造してもよい。
【００１８】
前記ウェットティッシュ用生地として、天然パルプ、綿、インジオ、テンセル、天然繊維生地、混紡繊維生地、不織布及び合成繊維生地よりなる群から選ばれるいずれか一種を使用してもよい。
【００１９】
前記ウェットティッシュ用生地を密封包装した後、通常の滅菌方法を用いて滅菌してもよい。好ましくは、前記ウェットティッシュ用生地を１２０〜１３１℃及び１．２〜２．８気圧という高温及び高圧の条件下で滅菌するか、あるいは、ガンマ線を１５〜３０時間照射して滅菌してもよい。
【００２０】
他の側面において、本発明は、前記黄連熱水抽出物を含有する綿棒と、ガーゼと、マスクと、おむつ及び生理用ナプキンよりなる群から選ばれる製品を提供する。
【００２１】
一方、本発明は、
（工程１）黄連１００重量部に水２０００〜８０００重量部を混入し、１２０〜１３１℃及び１．２〜２．８気圧という高温及び高圧の条件下で抽出して黄連熱水抽出物を製造するステップと、
（工程２）ウェットティッシュ用生地１００重量部に前記工程１において製造された黄連熱水抽出物２００〜４００重量部を噴射して前記ウェットティッシュ用生地に前記黄連熱水抽出物を吸収させるステップと、
（工程３）前記黄連熱水抽出物が吸収されているウェットティッシュ用生地を密封包装した後に滅菌して、黄連熱水抽出物を含有するウェットティッシュを製造するステップと、
を含むウェットティッシュの製造方法を提供する。
【００２２】
前記工程３において、ウェットティッシュ用生地を密封包装した後に滅菌するとき、１２０〜１３１℃及び１．２〜２．８気圧という高温及び高圧の条件下で滅菌するか、あるいは、ガンマ線を１５〜３０時間照射して滅菌する。
【００２３】
また、本発明は、前記ウェットティッシュの製造方法に加えて、
（工程Ａ）黄連１００重量部に水２０００〜８０００重量部を混入し、１２０〜１３１℃及び１．２〜２．８気圧という高温及び高圧の条件下で抽出して黄連熱水抽出物を製造するステップと、
（工程Ｂ）純綿綿と、ガーゼ用生地と、純綿織物と、天然繊維生地と、合成繊維生地と、混紡繊維生地及び不織布よりなる群から選ばれるいずれか一種１００重量部に前記工程Ａにおいて製造された黄連熱水抽出物２００〜４００重量部を噴射して黄連熱水抽出物を吸収させるステップと、
（工程Ｃ）前記黄連熱水抽出物が吸収されている純綿綿と、ガーゼ用生地と、純綿織物と、天然繊維生地と、合成繊維生地と、混紡繊維生地及び不織布よりなる群から選ばれるいずれか一種を乾燥させて滅菌するステップと、
（工程Ｄ）前記工程Ｃにおいて乾燥した純綿綿と、ガーゼ用生地と、純綿織物と、天然繊維生地と、合成繊維生地と、混紡繊維生地及び不織布よりなる群から選ばれるいずれか一種を用いて綿棒と、ガーゼと、マスクと、おむつ及び生理用ナプキンよりなる群から選ばれる製品を製造し、包装した後に滅菌するステップと、
を含む、綿棒と、ガーゼと、マスクと、おむつ及び生理用ナプキンよりなる群から選ばれる製品の製造方法を提供する。
【００２４】
また、本発明は、黄連１００重量部に水２０００〜８０００重量部を混入して１２０〜１３１℃及び１．２〜２．８気圧という高温及び高圧の条件下で抽出した黄連熱水抽出物を蒸留して得た蒸気を凝縮させた黄連熱水抽出物の蒸留液を含有するウェットティッシュと、綿棒と、ガーゼと、マスクと、おむつ及び生理用ナプキンよりなる群から選ばれる製品を提供する。
【００２５】
前記黄連熱水抽出物の蒸留液を含有するウェットティッシュは、
（工程１）黄連１００重量部に水２０００〜８０００重量部を混入し、１２０〜１３１℃及び１．２〜２．８気圧という高温及び高圧の条件下で抽出して黄連熱水抽出物を製造し、前記黄連熱水抽出物を蒸留して得た蒸気を凝縮させて黄連熱水抽出物の蒸留液を製造するステップと、
（工程２）ウェットティッシュ用生地１００重量部に前記工程１において製造された黄連熱水抽出物の蒸留液２００〜４００重量部を噴射して前記ウェットティッシュ用生地に前記黄連熱水抽出物の蒸留液を吸収させるステップと、
（工程３）前記黄連熱水抽出物の蒸留液が吸収されているウェットティッシュ用生地を密封包装した後に滅菌して、黄連熱水抽出物の蒸留液を含有するウェットティッシュを製造するステップと、
を含んで製造してもよい。
【００２６】
また、前記黄連熱水抽出物の蒸留液を含有する、綿棒と、ガーゼと、マスクと、おむつ及び生理用ナプキンのうちから選ばれる製品は、
（工程Ａ）黄連１００重量部に水２０００〜８０００重量部を混入し、１２０〜１３１℃及び１．２〜２．８気圧という高温及び高圧の条件下で抽出して黄連熱水抽出物を製造し、前記黄連熱水抽出物を蒸留して得た蒸気を凝縮させて黄連熱水抽出物の蒸留液を製造するステップと、
（工程Ｂ）純綿綿と、ガーゼ用生地と、純綿織物と、天然繊維生地と、合成繊維生地と、混紡繊維生地及び不織布よりなる群から選ばれるいずれか一種１００重量部に前記工程Ａにおいて製造された黄連熱水抽出物の蒸留液２００〜４００重量部を噴射して黄連熱水抽出物の蒸留液を吸収させるステップと、
（工程Ｃ）前記黄連熱水抽出物の蒸留液が吸収されている純綿綿と、ガーゼ用生地と、純綿織物と、天然繊維生地と、合成繊維生地と、混紡繊維生地及び不織布よりなる群から選ばれるいずれか一種を乾燥させて滅菌するステップと、
（工程Ｄ）前記工程Ｃにおいて乾燥した純綿綿と、ガーゼ用生地と、純綿織物と、天然繊維生地と、合成繊維生地と、混紡繊維生地及び不織布よりなる群から選ばれるいずれか一種を用いて綿棒と、ガーゼと、マスクと、おむつ及び生理用ナプキンよりなる群から選ばれる製品を製造し、包装して滅菌するステップと、
を含んで製造してもよい。
【００２７】
以下、本発明を詳細に説明する。
【００２８】
本発明は、黄連１００重量部に水２０００〜８０００重量部を混入して１２０〜１３１℃及び１．２〜２．８気圧という高温及び高圧の条件下で抽出した黄連熱水抽出物又はその蒸留液を含有するウェットティッシュに関するものであり、前記ウェットティッシュは、抗菌、抗炎、洗浄などの効果がある。
【００２９】
このとき、黄連１００重量部に水を２０００重量部未満で混入するか、あるいは、８０００重量部を超えて混入すると、抽出効率が高くないため好ましくない。
【００３０】
前記黄連熱水抽出物は、固形分を除去したろ液状態の抽出物をそのまま使用してもよく、これを濃縮して使用してもよいが、濃縮過程にはコストがかかるため、好ましくは、ろ液状態の抽出物をそのまま使用する。
【００３１】
また、前記黄連熱水抽出物を製造するとき、１２０〜１３１℃及び１．２〜２．８気圧よりも低い温度及び気圧の条件下で抽出を行えば、活性成分が上手に抽出されず、その結果、洗浄、抗菌、抗炎などの効果が低いため好ましくない。さらに、１２０〜１３１℃及び１．２〜２．８気圧よりも高い温度及び気圧の条件下で抽出を行っても活性成分が破壊されて抗菌、抗炎、創傷の治療、洗浄などの効果が低くなるため好ましくない。さらに、前記１２０〜１３１℃及び１．２〜２．８気圧よりも高い温度及び気圧の条件下で黄連熱水抽出物を製造する場合にはさらなる製造コストがかかるため好ましくない。但し、２．８気圧を超える超高圧状態（１１００気圧以内）で抽出物を製造する場合には、抽出温度を１００℃以下の低温状態に維持することにより、活性成分の破壊を低減することができるため、本発明のウェットティッシュ製造用黄連熱水抽出物として使用可能である。
【００３２】
さらに、前記黄連熱水抽出物の抽出時間には制限がないが、好ましくは、１０分〜２４時間、好ましくは、１０分〜９時間、さらに好ましくは、１０〜６０分間抽出を行うことが好ましく、最も好ましくは、２０〜４０分である。このとき、１０分未満で抽出する場合には、活性成分が上手に抽出されず、その結果、抗菌、抗炎、洗浄などの効果が低くなるため好ましくない。２４時間を超えて抽出を行っても活性成分がそれ以上抽出されないが、さらなる製造コストがかかる。
【００３３】
さらに、黄連に甘草と、決明葉と、十薬と、夏枯草と、黄柏及び黄苓よりなる群から選ばれるいずれか一種以上の生薬を追加して黄連抽出物を製造する場合、抗菌、抗炎、洗浄などの効果が増強される。
【００３４】
前記黄連熱水抽出物の蒸留液は、黄連１００重量部に水２０００〜８０００重量部を混入して１２０〜１３１℃及び１．２〜２．８気圧という高温及び高圧の条件下で抽出した黄連熱水抽出物を蒸留して得た蒸気を凝縮させて得た蒸留液であるが、前記黄連熱水抽出物の蒸留液の製造に際して、蒸留温度は、水が沸騰する温度であれば前記黄連熱水抽出物の蒸留液が製造可能であるが、好ましくは、１００〜１３１℃、最も好ましくは、１２０〜１３１℃であり、高温の条件下で蒸留を行えば、短時間内に蒸留可能であるため、製造工程が短縮される。
【００３５】
さらに、前記黄連熱水抽出物の蒸留液を製造するために、黄連熱水抽出物を製造するとき、黄連１００重量部を基準として、甘草と、決明葉と、十薬と、夏枯草と、黄柏及び黄苓よりなる群から選ばれるいずれか一種以上の生薬が１〜５０重量部追加されてもよい。
【００３６】
前記蒸留液には、黄連熱水抽出物に含まれている揮発性物質が含有されているが、黄連熱水抽出物よりも抗菌、抗炎、洗浄などの効果がさらに高い。
【００３７】
前記蒸留液は濃縮して使用してもよいが、好ましくは、蒸気を凝縮させたままで使用する。これは、濃縮過程にコストがかかり、しかも、濃縮しなくても上記の抗菌、抗炎、洗浄などの効果が十分に得られるためである。
【００３８】
本発明のウェットティッシュは、ウェットティッシュ用生地に前記黄連熱水抽出物又はその蒸留液を噴射又は含浸する通常の方法により製造するが、好ましくは、噴射方法を用いて製造する。
【００３９】
前記ウェットティッシュ用生地は一重にして使用してもよいが、使用効果を増強させるために、２〜３重に重ねた状態で熱圧着法などにより波打ち状の多数のしわが形成されるように製作してもよい。例えば、ウェットティッシュ用生地２枚を重ねた後、熱圧着処理を施して格子模様を形成してもよく、凹凸処理又はエンボス処理を施してもよい。
【００４０】
本発明のウェットティッシュ製品には、前記黄連熱水抽出物又はその蒸留液に加えて、通常の添加成分がさらに含有される。このような添加成分としては、界面活性剤、補湿剤、防腐剤、香り、除菌剤、消臭剤などが挙げられ、界面活性剤としては、ドデシルベンゼンスルホン酸ナトリウム、ラウリルトリメチルアンモニウムクロリドが挙げられ、補湿剤としては、カモミール油が挙げられ、防腐剤としては、フェノキシエタノール、メチルパラベン、エチルパラベンが挙げられ、香りとしては、フェノキシエタノール、ハーブ、緑茶抽出物、カモミール花抽出物、リモネンが挙げられ、除菌剤としては、エチルアルコールが挙げられ、消臭剤としては、キトサンなどが挙げられるが、本発明はこれらに何ら限定されるものではなく、通常、ウェットティッシュ製品に添加される成分であれば使用可能である。但し、本発明のウェットティッシュには、黄連抽出物又はその蒸留液のみが含有されることが最も好ましい。一方、これらの添加成分は、前記黄連熱水抽出物又はその蒸留液１００重量部を基準として、０．０１〜５重量部含有されてもよい。
【００４１】
一方、本発明における高温及び高圧の条件下での抽出は、生薬材の抽出のために汎用される高温高圧抽出機を用いて行う。なお、ウェットティッシュへの前記黄連抽出物の噴射は、食材料の加工又はスチームの噴射のために汎用されるスチーム噴射機、噴霧機を用いて行う。
【００４２】
また、本発明は、前記黄連熱水抽出物又はその蒸留液を含有する口腔用ウェットティッシュの製造方法を提供し、好ましくは、前記ウェットティッシュには、黄連熱水抽出物の製造に際して甘草を添加して製造した抽出物又はその蒸留液が使用可能である。なお、前記ウェットティッシュを口腔用に製造する場合、甘味のために、キシリトール、サッカリン、ステビオシドなどの甘味剤をさらに添加してもよい。
【００４３】
また他の観点において、本発明は、前記黄連熱水抽出物又はその蒸留液を含有する綿棒と、ガーゼと、マスクと、おむつ及び生理用ナプキンなどの製品を提供する。前記製品は、純綿綿と、ガーゼ用生地と、純綿織物及び不織布よりなる群から選ばれるいずれか一種に前記黄連熱水抽出物又はその蒸留液を噴射して乾燥し、それぞれ綿棒と、ガーゼと、マスクと、おむつ及び生理用ナプキンなどの製品に製造した後に包装及び滅菌して製造する。このとき、おむつや生理用ナプキンの場合、前記純綿綿と、ガーゼ用生地と、純綿織物及び不織布よりなる群から選ばれるいずれか一種を用いて肌に直接的に触れる外カバーを製造する。なお、前記製品の滅菌方法では、ガンマ線を照射して行うことが好ましい。
【００４４】
一方、前記黄連熱水抽出物又はその蒸留液を含有する綿棒は、綿棒用純綿綿にのみ別途に黄連熱水抽出物を処理した後に製造してもよく、綿棒を製造した後に綿棒の綿の上に黄連熱水抽出物又はその蒸留液を処理して製造してもよい。
【発明の効果】
【００４５】
本発明は、高温及び高圧の条件下で抽出した黄連熱水抽出物又はその蒸留液を含有するウェットティッシュに関するものであり、さらに詳しくは、黄連１００重量部に水２０００〜８０００重量部を混入して１２０〜１３１℃及び１．２〜２．８気圧という高温及び高圧の条件下で抽出した黄連熱水抽出物又はその蒸留液を含有するウェットティッシュに関するものである。前記黄連熱水抽出物又はその蒸留液を含有するウェットティッシュは、肌に常在する病原性微生物に対する抗菌及び抗真菌効果に優れており、しかも、炎症抑制効果に優れていることから、肌の清潔化及び各種の炎症疾患の改善に好適に用いられることができる。
【図面の簡単な説明】
【００４６】
【図１】本発明の黄連熱水抽出物を含有するウェットティッシュを製造する方法を示す手順図である。
【図２】本発明の黄連熱水抽出物の蒸留液を含有するウェットティッシュを製造する方法を示す手順図である。
【発明を実施するための形態】
【００４７】
以下、本発明の好適な実施例を挙げて本発明の高温及び高圧の条件下で抽出した黄連熱水抽出物を含有するウェットティッシュについて詳細に説明する。しかしながら、本発明はここで説明される実施例に何ら限定されるものではなく、他の形態に具体化可能である。むしろ、ここで紹介される内容が徹底且つ完全たるものになり、当業者に本発明の思想を十分に伝えるために提供するものである。
【００４８】
＜実施例１．黄連熱水抽出物及びその蒸留液の製造＞
［実施例１−１〜実施例１−２４．黄連熱水抽出物］
下記表１の条件下で黄連及び水を混合して１２０〜１３１℃及び１．２〜２．８気圧という高温及び高圧の条件下で黄連熱水抽出物を製造した（抽出後に塊状の生薬を除去した液状のみを使用し、今後の実施例及び比較例において製造された抽出物は、同方法を用いて塊状の生薬を除去する）。また、黄連熱水抽出物の抗菌及び抗菌効果を増強させるために、黄連に加えて、黄苓、黄柏、甘草、決明葉、十薬、夏枯草を混合して抽出物を製造した。このとき、黄連熱水抽出物は、高圧高圧抽出機（（株）デリン機械社製、韓国）を用いて抽出した。このとき、各抽出物の体積は、実施例１−１と同じ体積に調節した（濃縮又は加水）。
【００４９】
【表１】
2015534466.tif 000003
【００５０】
［実施例１−２５〜実施例１−２８．黄連熱水抽出物の蒸留液］
（実施例１−２５）
実施例１−１の抽出物を１２０〜１３１℃の温度条件下で蒸留して得た蒸気を凝縮させて黄連熱水抽出物の蒸留液を得た。
【００５１】
（実施例１−２６）
実施例１−８の抽出物を１２０〜１３１℃の温度条件下で蒸留して得た蒸気を凝縮させて黄連熱水抽出物の蒸留液を得た。
【００５２】
（実施例１−２７）
実施例１−９の抽出物を１２０〜１３１℃の温度条件下で蒸留して得た蒸気を凝縮させて黄連熱水抽出物の蒸留液を得た。
【００５３】
（実施例１−２８）
実施例１−１３の抽出物を１２０〜１３１℃の温度条件下で蒸留して得た蒸気を凝縮させて黄連熱水抽出物の蒸留液を得た。
【００５４】
＜実施例２．高温及び高圧の条件下で製造した黄連熱水抽出物又はその蒸留液を含有するウェットティッシュの製造＞
１６ｃｍ×１８ｃｍのサイズのティッシュ純綿生地６３枚（重量１００ｇ）に前記実施例１の抽出物又は蒸留液３４０ｇを噴射して吸着させた（表２参照）。次いで、前記抽出物又は蒸留液が処理されたティッシュを密封包装し、これを高圧のレトルト滅菌機（Hi-RETORT STERILIZER、株式会社デリン機械社製、韓国）を用いて滅菌して最終的なウェットティッシュを製造した（１．２気圧及び１２１℃という高圧及び高温の条件下で１５分間滅菌を行った）。
【００５５】
一方、黄連熱水抽出物の製造に際して甘草を添加した下記の実施例２−７及び実施例２−１０のウェットティッシュは、特に口腔洗浄用に製造した。
【００５６】
【表２】
2015534466.tif 000004
【００５７】
＜実施例３．黄連熱水抽出物を含有する綿棒及びガーゼの製造＞
純綿綿及び純綿ガーゼ生地を購入して、前記純綿綿及び純綿ガーゼ生地の重量１００ｇ当たりにそれぞれ実施例１−１の黄連熱水抽出物を２４０ｇ噴射して乾燥し、純綿綿では綿棒を製造し、純綿ガーゼ生地は適切な大きさに切って傷口のドレッシング用ガーゼを製造した。次いで、前記綿棒及びガーゼを密封包装した後に２０時間ガンマ線を照射して滅菌を行い、最終的な製品を製造した。
【００５８】
＜実施例４．黄連熱水抽出物の蒸留液を含有する綿棒及びガーゼの製造＞
純綿綿及び純綿ガーゼ生地を購入して、前記純綿綿及び純綿ガーゼ生地の重量１００ｇ当たりにそれぞれ実施例１−２５の黄連熱水抽出物の蒸留液を２４０ｇ噴射して乾燥し、純綿綿では綿棒を製造し、純綿ガーゼ生地は適切な大きさに切って傷口のドレッシング用ガーゼを製造した。次いで、前記綿棒及びガーゼを密封包装した後に２０時間ガンマ線を照射して滅菌を行い、最終的な製品を製造した。
【００５９】
＜比較例１．比較の対象となる黄連熱水抽出物の製造＞
下記表３の条件下で黄連及び水を混合して比較の対象となる黄連熱水抽出物を製造した。また、各抽出物の効果を比較するために、加水又は濃縮を行ってそれぞれの抽出物の総重量を実施例１の抽出物と同じ重量に調節した。
【００６０】
【表３】
2015534466.tif 000005
【００６１】
＜比較例２．黄連有機溶媒抽出物を含有するウェットティッシュの製造＞
下記表４の条件下で、水の代わりに７０％のエタノール水溶液を用いて黄連抽出物を製造し、抽出を行い、固形分（塊状の生薬）を除去したろ液を減圧濃縮してエタノールを全て除去した後、水を加えてそれぞれの抽出物の総重量を実施例１の抽出物と同じ重量に調節した。
【００６２】
一方、比較例２−８及び比較例２−９の抽出物は、黄連及び１，３−ブチレングリコール又は７０％のエタンール溶媒を抽出機に入れ、反応機を圧力の漏れがないように完全に密封した。次いで、温度を８５℃又は９５℃になるように１時間をかけて段階的に昇温した後、３時間維持しながら抽出を行った。圧力を１．２気圧又は１．５気圧に維持し、且つ、抽出効率を高めるためにアンカー及びパドルが混合されたタイプを使用し、抽出中の攪拌速度は４０〜５０ｒｐｍに維持した。抽出が終わると、１時間をかけて反応機を常温まで冷却させた後、減圧可能なヌッチェろ過機を用いて抽出液及び黄連の固形分を分離した。このとき、ろ過液は、１μｍ以上がろ過可能なろ過紙を用いてろ過し、前記抽出液を減圧蒸留して有機溶媒成分を除去し、水を加えて実施例１の黄連熱水抽出物の体積と同じ体積に調節にした。
【００６３】
【表４】
2015534466.tif 000006
【００６４】
＜比較例３．比較の対象となるウェットティッシュの製造＞
実施例２と同様にしてウェットティッシュを製造するが、ウェットティッシュ生地に噴射される抽出物は、下記表５の条件下で使用した。
【００６５】
【表５】
2015534466.tif 000007
【００６６】
＜比較例４．比較の対象となる黄連熱水抽出物を含有する綿棒及びガーゼの製造＞
前記実施例３と同様にして黄連熱水抽出物を含有する綿棒及びガーゼを製造するが、比較例１−１の黄連熱水抽出物を噴射して綿棒及びガーゼを製造した。
【００６７】
＜試験例１．長期保存性の確認＞
実施例２及び比較例３のウェットティッシュを密封包装の状態で常温（２５℃）に放置するが、１ヶ月が経過したときに、ウェットティッシュ包装の蓋体を開いて２枚ずつ取り出して実験に供した。次いで、ウェットティッシュ包装の蓋体を閉じ、以前と同様に密封状態にし、３ヶ月が経過したときに再び２枚ずつを取り出して実験に供した。次いで、６ヶ月が経過したときに、最後に２枚を取り出して実験に供した。このとき、ウェットティッシュが外部の条件により乾燥しないように蓋体を開閉するときに極度に注意を払い、湿度８０％以上の密閉空間に保管した。
【００６８】
そして、各時点で得たウェットティッシュを用いて、各保管期間別に、ウェットティッシュ内の一般細菌の生育度を確認した。それぞれのウェットティッシュは、滅菌済みのペプトン水が入れられているストマッカー袋に入れ、１２０秒間攪拌した後にこれを段階別に希釈した。希釈液は、プレートカウント寒天（ＰＣＡ：plate count agar）平板培地にそれぞれ０．１ｍｌずつ塗抹した。一般細菌の測定は、３５℃のＰＣＡ培地において２４時間培養した後に、３Ｍ社製のペトリフィルムを用いて行った。実験結果を下記表６に示す。
【００６９】
【表６】
2015534466.tif 000008
【００７０】
表６の結果を参照すると、滅菌処理を施したにも拘わらず、水のみを加えた比較例３−３７のウェットティッシュは、製造後に６ヶ月以内の期間で外部の汚染による一般細菌の増殖を抑えることができないということが分かる。また、比較例３の残りのウェットティッシュもまた、時間の経過に伴い、外部の汚染による一般細菌の増殖が一部起こることが分かる。しかしながら、本発明の実施例２のウェットティッシュは、６ヶ月間の期間中に一般細菌の増殖が全く起こらないことが確認され、本発明の黄連熱水抽出物だけでも、防腐剤や抗菌剤を加えなくても外部の汚染を抑える効果があり、ウェットティッシュの保存能に優れているということが分かる。
【００７１】
一方、実施例２−１と、実施例２−２５〜実施例２−２８のウェットティッシュに限っては、３ヶ月おきに１８ヶ月まで上記の方法と同様にしてウェットティッシュ内の一般細菌の生育度を確認する実験を行ったところ、実施例２−１のウェットティッシュは、１５ヶ月目に０．３ｌｏｇＣＦＵ／ｇ以上の細菌が検出されたのに対し（１２ヶ月目までは未検出）、実施例２−２５〜実施例２−２８のウェットティッシュはいずれも１８ヶ月目に０．３ｌｏｇＣＦＵ／ｇ以上の細菌が検出された（１５ヶ月目までは未検出）。
【００７２】
したがって、上記の結果から、黄連熱水抽出物を含有するウェットティッシュよりは、前記抽出物を蒸留して得た蒸留液を含有するウェットティッシュの方がさらに優れた保存能を有するということが分かる。
【００７３】
＜試験例２．抗菌効果の確認＞
本発明によるウェットティッシュを対象として大腸菌に対する抗菌試験を行った。２５０ｍｌのフラスコをウェットティッシュの種類に見合う分だけ用意し、それぞれリン酸緩衝液７０ｍｌ及び大腸菌（Escherichia coli、寄託番号：ＡＴＣＣ  ２５９２２）接種液５ｍｌを入れた後、実施例２及び比較例３のウェットティッシュ０．７５ｇを細切（１×１ｃｍ以下）して添加し、それぞれのフラスコを２５±５℃の温度条件下で１時間振とう（３２０ｒｐｍ）させた。振とう済みの各培養液をリン酸緩衝溶液で１０倍希釈し、アガロース培地に０．１ｍｌずつ画線接種した後、それぞれの培地を３７℃の温度条件下で２４時間培養した。その結果を下記表７に示すが、水のみが加えられている比較例３−３７のウェットティッシュを基準として細菌減少率を示す。
【００７４】
【表７】
2015534466.tif 000009
【００７５】
その結果、本発明によるウェットティッシュ製品を添加した培地は、前記比較例３−３７のウェットティッシュに比べて顕著な細菌減少率を示し、これは、市販のウェットティッシュ製品の抗菌能よりも遥かに高い抗菌能を有するということを確認することができた。一方、黄連が全く含有されていない生薬抽出物を用いて製造したウェットティッシュ（比較例３−２１〜比較例３−２６）の場合には抗菌能が全くなく、これより、本発明のウェットティッシュが有する抗菌効果は、黄連が必須的な構成要素として含有されてはじめて発現されるものであるということが分かる。
【００７６】
＜試験例３．抗炎効果の確認＞
本発明のウェットティッシュの抗炎効果を確認するために、細菌性結膜炎に悩む患者１０名を１グループにして、実施例２及び比較例３のウェットティッシュ１枚を用いてパネルーに６時間おきに一回ずつ両側のまぶたの上を拭き取らせた。また、正確な比較実験を行うために、細菌性結膜炎治療剤であるフルメトロン０．１点眼液（主成分：フルオロメトロン）を６時間おきに一回ずつ点眼し、使用２日後の治療効果を５点表記法により記載して下記表８に示す。
【００７７】
【表８】
2015534466.tif 000010
【００７８】
前記表８の結果を参照すると、実施例２のウェットティッシュを使用する場合、フルメトロン０．１点眼液を使用する場合とほとんど同じ治療効果が得られるということを確認することができる。また、主として充血除去、炎症減少、眼球乾燥症の抑制、痛症抑制などの症状を緩和させる効果があるということを確認することができる。
【００７９】
＜試験例４．口臭抑制効果の確認＞
本発明のウェットティッシュの口臭抑制効果を確認するために、口臭除去の治療を必要とする患者１０名を１グループにして、黄連熱水抽出物の製造に際して甘草を添加した抽出物を含有するウェットティッシュである実施例２−７、実施例２−１０、比較例３−４、比較例３−７のウェットティッシュと、水のみを処理した比較例３−３７のウェットティッシュを３時間おきに一回ずつそれぞれのウェットティッシュ１枚を用いてパネルーに舌をはじめとする口腔内を拭き取らせ、使用２日後の口臭除去効果を５点表記法により記載して下記表９に示す。
【００８０】
【表９】
2015534466.tif 000011
【００８１】
前記表９の結果を参照すると、高温及び高圧の条件下で抽出した黄連熱水抽出物（黄連熱水抽出物の製造に際して甘草を添加した）を含有する本発明の実施例２−７及び実施例２−１０のウェットティッシュを使用する場合に優れた口臭除去の効果が得られるということを確認することができる。これに対し、水のみを含有するウェットティッシュ（比較例３−３７）は口臭除去の効果がなく、１００℃及び１気圧の条件下で抽出した抽出物を含有する比較例（比較例３−４及び比較例３−７）のウェットティッシュもまた、口臭除去の効果があまりないということを確認することができる。
【００８２】
＜試験例５．創傷改善効果の確認＞
本発明のウェットティッシュの創傷治療効果を確認するために、２〜５ｃｍの長さ及び３ｍｍの深さ以内の創傷を有する患者１０名を１グループにして、傷口を消毒し、実施例３及び実施例４のガーゼ、比較例４のガーゼを用いて傷口をドレッシングした。比較の対象としては、一般の滅菌ガーゼを使用した。２４時間後にガーゼを交換し、再び２４時間後に傷の改善度を表１０に５点打点法により示す。
【００８３】
【表１０】
2015534466.tif 000012
【００８４】
前記表１０の結果を参照すると、実施例３及び実施例４のガーゼの傷の改善効果は、比較例４のガーゼや一般ガーゼよりも遥かに高いということが分かる。特に、黄連熱水抽出物の蒸留液を含有する実施例４のガーゼの傷治療の改善効果が、黄連熱水抽出物を含有する実施例３のガーゼの傷治療の改善効果よりも遥かに高いということが分かる。
【００８５】
また、傷口を確認したとき、実施例３及び実施例４のガーゼを使用した場合には傷がきれいに直って瘡蓋がほとんど生成されないことから、治療効果が良好であるということが分かる。これに対し、一般ガーゼは、多量の瘡蓋が生成されただけであり、傷治療を改善する効果はほとんどないということが分かる。
【００８６】
＜試験例６．閉塞貼付試験を用いた黄連抽出物の肌への刺激性の確認＞
本発明のウェットティッシュに用いられる黄連熱水抽出物の肌への刺激性を確認するために、閉塞貼付試験を行った。これは、一次刺激物質を検索するために汎用される方法である。このために、健常な成人男女各３０名の背部にキット（フィンチャンバー）を用いて下記表１１の抽出物４０μlを入れた後、これを貼付用テープ（スカンポールテープ）を用いて肌に固定した。２４時間後にこれを肌から剥がし、再び４時間後にその結果を判定した。紅斑及び浮腫の度合いは、下記の数字で示す。判定基準は、国際接触皮膚炎研究委員会（International Contact Dermatitis Research Group；ＩＣＤＲＧ）の基準に準拠する（Wooding et al，1967；Rietschell，1982；Fischer & Maibach，1984；Aberer et al，1993）。その判定基準を下記に示す。
【００８７】
［判定基準］
０＝発赤無し
１＝軽度の紅斑（mild erythema）
２＝激しい紅斑（intense erythema）
３＝浮腫を伴う激しい紅斑（intense erythema with edema）
４＝浮腫及び水泡を伴う激しい紅斑（intense erythema with edema and vesicle）
【図１】
2015534466.tif 000013
【図２】
2015534466.tif 000014
【国際調査報告】
2015534466.tif 000015
2015534466.tif 000016
2015534466.tif 000017
2015534466.tif 000018